(57)【要約】【課題】  開口率を向上させることができ，画素内部に含まれる素子の構成及び配線を単純化できる発光表示装置を提供することにある。【解決手段】  データ信号を伝達する複数のデータ線，選択信号を伝達する複数の走査線，及びデータ線と走査線に連結される複数の画素を含む表示パネルであって，画素は，印加される電流に対応して互いに異なる色を発光する少なくとも２個の発光素子，及び選択信号が印加される間にデータ信号を入力し，データ信号に対応する第１電流を出力する駆動部を含み，駆動部は，複数の画素に形成された発光素子のうち，実質的に同一色を発光する少なくとも２個の第１及び第２発光素子に第１電流を出力する。【選択図】    図５
2006018223.tif 000002
【特許請求の範囲】
【請求項１】
データ信号を伝達する複数のデータ線，選択信号を伝達する複数の走査線，及び前記データ線と前記走査線に連結される複数の画素を含む表示パネルにおいて，
前記画素は，印加される電流に対応して互いに異なる色を発光する少なくとも２個の発光素子，及び前記選択信号が印加される間に前記データ信号を入力し，前記データ信号に対応する第１電流を出力する駆動部を含み，
前記駆動部は，前記複数の画素に形成された前記発光素子のうち，実質的に同一色を発光する少なくとも２個の第１及び第２発光素子に前記第１電流を出力する，
ことを特徴とする表示パネル。
【請求項２】
前記駆動部に入力される前記データ信号は，実質的に同一色の画像を示す，ことを特徴とする請求項１に記載の表示パネル。
【請求項３】
一つのフィールドは第１及び第２サブフィールドを含み，
前記画素の駆動部は，前記第１サブフィールドの第１区間の間に前記第１電流を前記第１発光素子に伝達し，前記第２サブフィールドの第２区間の間に前記第１電流を前記第２発光素子に伝達する，
ことを特徴とする請求項１に記載の表示パネル。
【請求項４】
前記画素は，前記駆動部と前記第１及び前記第２発光素子との間に各々連結される第１及び第２スイッチング素子をさらに含む，ことを特徴とする請求項３に記載の表示パネル。
【請求項５】
前記駆動部は，第１〜第３電極を備え，前記第１及び第２電極間に印加される電圧に対応する電流を前記第３電極に出力するトランジスタ，
前記トランジスタの前記第１及び第２電極間に電気的に連結される第１キャパシタ，及び
前記選択信号に応答して前記データ信号を前記キャパシタに伝達する第３スイッチング素子，を含む，
ことを特徴とする請求項１に記載の表示パネル。
【請求項６】
前記トランジスタの前記第２電極は，第１電源に連結されると共に，
前記駆動部は，前記トランジスタの前記第１電極と前記第１キャパシタとの間に連結される第２キャパシタ，第１制御信号に応答して前記トランジスタをダイオード連結させる第４スイッチング素子，第２制御信号に応答して，前記第２キャパシタの電極のうち，前記第１キャパシタ側電極に前記第１電源の電圧を印加する第５スイッチング素子，をさらに含む，
ことを特徴とする請求項５に記載の表示パネル。
【請求項７】
前記第１制御信号と前記第２制御信号は，実質的に同一制御信号である，ことを特徴とする請求項６に記載の表示パネル。
【請求項８】
前記第１制御信号は，前記選択信号が印加される前に印加された直前走査線の選択信号である，ことを特徴とする請求項７に記載の表示パネル。
【請求項９】
前記複数のデータ線は，第１〜第３色に対応する前記データ電流を伝達する第１〜第３データ線グループを含み，
前記第１〜第３データ線グループに各々連結される前記画素の前記トランジスタは，互いに特性が異なるように形成される，
ことを特徴とする請求項６に記載の表示パネル。
【請求項１０】
前記第１〜第３データ線グループに各々連結される前記画素の前記トランジスタのチャンネルの幅と長さの比を制御することにより，前記第１〜第３色のホワイトバランスを調節する，ことを特徴とする請求項９に記載の表示パネル。
【請求項１１】
前記複数の画素は隣接する第１〜第３画素を含む共に，
前記第１画素は，第１色及び第２色を発光する２個の発光素子を含み，前記第２画素は，第３色及び前記第１色を発光する２個の発光素子を含み，前記第３画素は，前記第２色及び前記第３色を発光する２個の発光素子を含み，
前記第１画素の駆動部は，前記第１色を発光する２個の発光素子に前記第１電流を出力し，前記第２画素の駆動部は，前記第２色を発光する２個の発光素子に前記第１電流を出力し，前記第３画素の駆動部は，前記第３色を発光する２個の発光素子に前記第１電流を出力する，
ことを特徴とする請求項１に記載の表示パネル。
【請求項１２】
前記第１〜第３画素が反復して形成される，ことを特徴とする請求項１１に記載の表示パネル。
【請求項１３】
第１データ信号を入力して，前記第１データ信号に対応する第１電流を出力する第１駆動部と，第１色及び第２色を各々発光する第１及び第２発光素子とが形成された第１画素領域；
第２データ信号を入力して，前記第２データ信号に対応する第２電流を出力する第２駆動部と，第３色及び前記第１色を各々発光する第３及び第４発光素子とが形成された第２画素領域；及び
第３データ信号を入力して，前記第３データ信号に対応する第３電流を出力する第３駆動部と，前記第２色及び前記第３色を各々発光する第５及び第６発光素子とが形成された第３画素領域；を含み，
前記第１駆動部は，前記第１電流を前記第１及び第４発光素子に順に印加し，前記第２駆動部は，前記第２電流を前記第２及び第５発光素子に順に印加し，前記第３駆動部は，前記第３電流を前記第４及び第６発光素子に順に印加する，
ことを特徴とする表示パネル。
【請求項１４】
前記第１〜第３データ信号は，各々前記第１〜第３色に対応するデータ電圧である，ことを特徴とする請求項１３に記載の表示パネル。
【請求項１５】
データ信号を伝達する複数のデータ線，選択信号を伝達する複数の走査線，及び前記データ線と前記走査線に連結される複数の画素を含む表示部；一つのフィールドの間，実質的に同一色に対応する少なくとも２個のデータ信号を時分割して前記データ線に印加するデータ駆動部；及び前記一つのフィールドに含まれた第１及び第２サブフィールドで，前記複数の走査線に順に選択信号を印加するための走査駆動部；を含むと共に，
前記画素は，印加される電流に対応して互いに異なる色を発光する少なくとも２個の発光素子と，前記選択信号が印加される間に前記データ信号を入力し，前記発光素子を駆動するための駆動部とを含み，
前記駆動部は，前記複数の画素に含まれた前記発光素子のうち，実質的に同一色を発光する少なくとも２個の発光素子を順に駆動する発光表示装置。
【請求項１６】
前記駆動部は，
第１〜第３電極を備え，前記第１及び第２電極の間に印加される電圧に対応する電流を前記第３電極に出力するトランジスタ，
前記トランジスタの前記第１及び第２電極の間に電気的に連結される第１キャパシタ，及び
前記選択信号に応答して前記データ信号を前記キャパシタに伝達する第１スイッチング素子，を含む，
ことを特徴とする請求項１５に記載の発光表示装置。
【請求項１７】
前記トランジスタの前記第２電極は，第１電源に連結されると共に，
前記駆動部は，前記トランジスタの前記第１電極と前記第１キャパシタとの間に連結される第２キャパシタ，第１制御信号に応答して前記トランジスタをダイオード連結させる第２スイッチング素子，第２制御信号に応答して，前記第１キャパシタの電極のうちの前記第１キャパシタ側電極に前記第１電源の電圧を印加する第３スイッチング素子をさらに含む，
ことを特徴とする請求項１６に記載の発光表示装置。
【請求項１８】
前記複数の画素は，
第１色を発光する少なくとも２個の前記発光素子を駆動するための駆動部を含む第１画素グループ，第２色を発光する少なくとも２個の前記発光素子を駆動するための駆動部を含む第２画素グループ，及び第３色を発光する少なくとも２個の前記発光素子を駆動するための駆動部を含む第３画素グループ，を含む，
ことを特徴とする請求項１６に記載の発光表示装置。
【請求項１９】
前記第１〜第３画素グループに含まれた前記トランジスタのチャンネルの幅と長さの比を制御することによって，前記第１〜第３色のホワイトバランスを調節する，ことを特徴とする請求項１８に記載の発光表示装置。
【請求項２０】
データ信号を伝達する複数のデータ線，選択信号を伝達する複数の走査線，及び前記データ線と前記走査線に各々連結される複数の画素を含む表示パネルの駆動方法において，
前記複数の画素は，互いに異なる色を発光する少なくとも２個の発光素子を含み，一つのフィールドは第１及び第２サブフィールドを含む複数のサブフィールドに分けて駆動され，
前記駆動方法は，
前記第１サブフィールドで，前記複数の走査線に前記選択信号を順に印加する第１段階；
前記第１段階の間，前記複数のデータ線に前記データ信号を記入する第２段階；
前記データ信号に対応する電流を，前記複数の画素に含まれた発光素子のうちの第１発光素子に伝達する第３段階；
第２サブフィールドで，前記複数の走査線に前記選択信号を順に印加する第４段階；
前記第４段階の間，前記複数のデータ線に前記データ信号を印加する第５段階；及び
前記データ信号に対応する電流を，前記複数の画素に含まれた発光素子のうちの前記第１発光素子と実質的に同一色を発光する第２発光素子に伝達する第６段階；
を含む，
ことを特徴とする表示パネルの駆動方法。
【発明の詳細な説明】
【技術分野】
【０００１】
本発明は発光表示装置とその表示パネル，及びその駆動方法に関し，さらに詳細には，有機物質の電界発光を利用した有機電界発光（以下，“有機ＥＬ”とする）表示装置とその表示パネル，及びその駆動方法に関するものである。
【背景技術】
【０００２】
一般的に，ＯＬＥＤ表示装置は，蛍光性有機化合物を電気的に励起させて発光させる表示装置であって，Ｎ×Ｍ個の有機発光セルを電圧記入あるいは電流記入して映像を表現するようになっている。このような有機発光セルは，アノード，有機薄膜，カソードレイヤードの構造を有している。有機薄膜は，電子と正孔の均衡を合わせて発光効率を向上させるために，発光層，電子輸送層，及び正孔輸送層を含んだ多層構造からなり，また，別途の電子注入層と正孔注入層を含んでいる。
【０００３】
このような有機発光セルを駆動する方式には，単純マトリックス方式と，薄膜トランジスタ又はＭＯＳＦＥＴを利用した能動駆動方式とがある。単純マトリックス方式は，正極と負極を直交するように形成し，ラインを選択して駆動するのに比べて，能動駆動方式は，薄膜トランジスタを各ＩＴＯ画素電極に連結し，薄膜トランジスタのゲートに連結されたキャパシタ容量に応じて維持された電圧に応じて駆動する方式である。このような能動駆動方式は，キャパシタに電圧を記入して維持させるために印加される信号の形態によって，電圧記入（voltage  programming）方式と電流記入（current  programming）方式とに分けられる。
【０００４】
従来のＯＬＥＤ（Ｏｒｇａｎｉｃ  Ｌｉｇｈｔ  Ｅｍｉｔｔｉｎｇ  Ｄｉｏｄｅ）表示装置は，様々な色（“色”は“色相”を意味するものとする）を表現するために，一つの画素が互いに異なる色を有する複数の副画素からなり，このような副画素で発光する色の組み合わせによって任意の色が表現される。一般的に一つの画素は，赤（Ｒ），緑（Ｇ），青（Ｂ）の３原色を表示する合計３個の副画素からなり，これら赤色，緑色，及び青色の組み合わせによって画素の色が表現される。
【０００５】
図１は，従来の電圧記入方式の画素を示す。図１においては，Ｎ×Ｍ個の画素のうちの一つ，即ち，一番目の行と一番目の列に位置する画素が代表的に示されている。
【０００６】
図１に示すように，一つの画素１０は，３個の副画素（１０ｒ，１０ｇ，１０ｂ）で形成されており，副画素（１０ｒ，１０ｇ，１０ｂ）には，各々赤，緑，青を発光するＯＬＥＤ素子（ＯＬＥＤｒ，ＯＬＥＤｇ，ＯＬＥＤｂ）が形成されている。副画素がストライプ形態に配列された構造では，図１に示すように，副画素（１０ｒ，１０ｇ，１０ｂ）は，各々別個のデータ線（Ｄ１ｒ，Ｄ１ｇ，Ｄ１ｂ）と共通の選択走査線（Ｓ１）に連結されている。
【０００７】
図１に示すように，赤色の副画素（１０ｒ）は，ＯＬＥＤ素子（ＯＬＥＤｒ）を駆動するための２個のトランジスタ（Ｍ１１，Ｍ１２）とキャパシタ（Ｃ１１）を含む。同様に，緑色の副画素（１０ｇ）は，２個のトランジスタ（Ｍ２１，Ｍ２２）とキャパシタ（Ｃ２１）を含み，青色の副画素（１０ｂ）も２個のトランジスタ（Ｍ３１，Ｍ３２）とキャパシタ（Ｃ３１）を含む。これら副画素（１０ｒ，１０ｇ，１０ｂ）の動作は全て同一であるので，以下では一つの副画素（１０ｒ）を例に挙げて説明する。
【０００８】
電源電圧（ＶＤＤ）とＯＬＥＤ素子（ＯＬＥＤｒ）のアノードとの間に駆動トランジスタ（Ｍ１１）が連結されて，発光のための電流をＯＬＥＤ素子（ＯＬＥＤｒ）に伝達し，ＯＬＥＤ素子（ＯＬＥＤｒ）のカソードは，電源電圧（ＶＤＤ）より低い電圧（ＶＳＳ）に連結されている。駆動トランジスタ（Ｍ１１）の電流量は，スイッチングトランジスタ（Ｍ１２）を通じて印加されるデータ電圧に応じて制御されるようになっている。このとき，キャパシタ（Ｃ１１）が，トランジスタ（Ｍ１１）のソースとゲートとの間に連結されて印加された電圧を一定の期間維持する。トランジスタ（Ｍ１２）のゲートには，オン／オフ形態の選択信号を伝達する選択走査線（Ｓ１）が連結されており，ソース側には，赤色副画素（１０ｒ）に該当するデータ電圧を伝達するデータ線（Ｄ１ｒ）が連結されている。
【０００９】
動作について説明すると，まず，スイッチングトランジスタ（Ｍ１２）がゲートに印加される低レベル選択信号に応答して導通すると，データ線（Ｄ１ｒ）からのデータ電圧（ＶＤＡＴＡ）がトランジスタ（Ｍ１１）のゲートに印加される。すると，キャパシタ（Ｃ１１）により，ゲートとソースの間に充電された電圧（ＶＧＳ）に対応してトランジスタ（Ｍ１１）に電流（ＩＯＬＥＤ）が流れ，この電流（ＩＯＬＥＤ）に対応してＯＬＥＤ素子（ＯＬＥＤｒ）が発光する。このとき，ＯＬＥＤ素子（ＯＬＥＤｒ）に流れる電流（ＩＯＬＥＤ）は数式１の通りである。
【００１０】
【数１】
2006018223.tif 000003
但し，ＶＴＨはトランジスタ（Ｍ１１）のしきい電圧，βは定数値を示す。
【００１１】
数式１に示すように，図１に示した画素では，データ電圧に対応する電流がＯＬＥＤ素子（ＯＬＥＤｒ）に供給され，供給された電流に対応する輝度でＯＬＥＤ素子（ＯＬＥＤｒ）が発光する。このときに印加されるデータ電圧は，所定の明暗階調を表現するために一定の範囲で多段階の値を有する。
【発明の開示】
【発明が解決しようとする課題】
【００１２】
しかしながら，このようなＯＬＥＤ表示装置は一つの画素１０が３個の副画素（１０ｒ，１０ｇ，１０ｂ）からなり，副画素別にＯＬＥＤ素子を駆動するための駆動トランジスタ，スイッチングトランジスタ，及びキャパシタが形成される。また，副画素別に，データ信号を伝達するためのデータ線，及び電源電圧（ＶＤＤ）を伝達するための電源線が形成される。このため，一つの画素に形成されるトランジスタ，キャパシタ，及び，電圧又は信号を伝達するための配線が複数個必要になるので，画素内部にこれらを配置するのが困難になる，という問題がある。また，画素内発光領域の広さを表す開口率が減少する，という問題がある。
【００１３】
したがって，本発明の目的は，開口率を向上させることができる発光表示装置を提供することにある。本発明の他の目的は，画素内部に含まれる素子の構成及び配線を単純化できる発光表示装置を提供することにある。本発明のまた他の目的は，駆動トランジスタの特性偏差が補償された画素を提供することにある。本発明のまた他の目的は，ホワイトバランスを制御できる画素を提供することにある。
【課題を解決するための手段】
【００１４】
上記課題を解決するため，本発明の第１の観点においては，データ信号を伝達する複数のデータ線，選択信号を伝達する複数の走査線，及び前記データ線と前記走査線に連結される複数の画素を含む表示パネルにおいて，前記画素は，印加される電流に対応して互いに異なる色を発光する少なくとも２個の発光素子，及び前記選択信号が印加される間に前記データ信号を入力し，前記データ信号に対応する第１電流を出力する駆動部を含み，前記駆動部は，前記複数の画素に形成された前記発光素子のうち，実質的に同一色を発光する少なくとも２個の第１及び第２発光素子に前記第１電流を出力することを特徴とする表示パネルが提供される。
【００１５】
上記課題を解決するため，本発明の第２の観点においては，第１データ信号を入力して，前記第１データ信号に対応する第１電流を出力する第１駆動部と，第１色及び第２色を各々発光する第１及び第２発光素子とが形成された第１画素領域；第２データ信号を入力して，前記第２データ信号に対応する第２電流を出力する第２駆動部と，第３色及び前記第１色を各々発光する第３及び第４発光素子とが形成された第２画素領域；及び第３データ信号を入力して，前記第３データ信号に対応する第３電流を出力する第３駆動部と，前記第２色及び前記第３色を各々発光する第５及び第６発光素子とが形成された第３画素領域；を含み，前記第１駆動部は，前記第１電流を前記第１及び第４発光素子に順に印加し，前記第２駆動部は，前記第２電流を前記第２及び第５発光素子に順に印加し，前記第３駆動部は，前記第３電流を前記第４及び第６発光素子に順に印加することを特徴とする表示パネルが提供される。
【００１６】
上記課題を解決するため，本発明の第３の観点においては，データ信号を伝達する複数のデータ線，選択信号を伝達する複数の走査線，及び前記データ線と前記走査線に連結される複数の画素を含む表示部；一つのフィールドの間，実質的に同一色に対応する少なくとも２個のデータ信号を時分割して前記データ線に印加するデータ駆動部；及び前記一つのフィールドに含まれた第１及び第２サブフィールドで，前記複数の走査線に順に選択信号を印加するための走査駆動部；を含み，前記画素は，印加される電流に対応して互いに異なる色を発光する少なくとも２個の発光素子と，前記選択信号が印加される間に前記データ信号を入力し，前記発光素子を駆動するための駆動部とを含み，前記駆動部は，前記複数の画素に含まれた前記発光素子のうち，実質的に同一色を発光する少なくとも２個の発光素子を順に駆動する，ことを特徴とする発光表示装置が提供される。
【００１７】
上記課題を解決するため，本発明の第４の観点においては，データ信号を伝達する複数のデータ線，選択信号を伝達する複数の走査線，及び前記データ線と前記走査線に各々連結される複数の画素を含む表示パネルの駆動方法において，前記複数の画素は，互いに異なる色を発光する少なくとも２個の発光素子を含み，一つのフィールドは第１及び第２サブフィールドを含む複数のサブフィールドに分けて駆動され，前記駆動方法は，前記第１サブフィールドで，前記複数の走査線に前記選択信号を順に印加する第１段階；前記第１段階の間，前記複数のデータ線に前記データ信号を記入する第２段階；前記データ信号に対応する電流を，前記複数の画素に含まれた発光素子のうちの第１発光素子に伝達する第３段階；第２サブフィールドで，前記複数の走査線に前記選択信号を順に印加する第４段階；前記第４段階の間，前記複数のデータ線に前記データ信号を印加する第５段階；及び前記データ信号に対応する電流を，前記複数の画素に含まれた発光素子のうちの前記第１発光素子と実質的に同一色を発光する第２発光素子に伝達する第６段階；を含む，ことを特徴とする表示パネルの駆動方法が提供される。
【発明の効果】
【００１８】
本発明によれば，一つの画素で多様な色の発光素子を，共通の駆動及びスイッチングトランジスタとキャパシタで駆動できるので，画素内で用いられる素子の構成と，電流，電圧又は信号を伝達する配線を単純化させることができる。
【００１９】
また，一つの駆動トランジスタは同一色のＯＬＥＤ素子を駆動するので，現在サブフィールドと実質的に同一条件下で駆動トランジスタのしきい電圧を補償することができる。
【００２０】
さらに，互いに異なる色のＯＬＥＤ素子を駆動するトランジスタのチャンネルの幅と長さの比を調節することにより，ホワイトバランスを調節することができる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。なお，ある部分が他の部分に連結されているとする時，それは直接的に連結されている場合のみだけでなく，その中間に他の素子を隔てて間接的に連結されている場合も含む。
【００２２】
次に，本発明の第１の実施の形態にかかる発光表示装置及び駆動方法について，図面を参照して詳細に説明する。
【００２３】
図２は，本発明の第１実施形態にかかるＯＬＥＤ表示装置の概略的な平面図である。図３は，図２のＯＬＥＤ表示装置の画素の概略的な概念図である。
【００２４】
図２に示すように，本発明の一実施形態にかかるＯＬＥＤ表示装置は，表示パネル１００，選択走査駆動部２００，発光走査駆動部３００，及びデータ駆動部４００を含む。
【００２５】
表示パネル１００は，行方向に延びている複数の走査線（Ｓ１−Ｓｎ，Ｅ１−Ｅｎ），列方向に延びている複数のデータ線（Ｄ１−Ｄｍ），複数の電源線（ＶＤＤ），及び複数の画素１１０を含む。画素は，隣接する二つの走査線（Ｓ１−Ｓｎ）と隣接する二つのデータ線（Ｄ１−Ｄｍ）によって定義される画素領域に形成される。図３によれば，各画素１１０は，各々互いに異なる色を発光する２個のＯＬＥＤ素子と，ＯＬＥＤ素子を駆動するための駆動部とを含む。このようなＯＬＥＤ素子は，印加される電流の大きさに対応して変化する明るさに発光する。そして，以下では，画素領域に形成された駆動部と２個のＯＬＥＤ素子を一つの画素と定義する。
【００２６】
選択走査駆動部２００は，当該走査線に連結された画素にデータ信号が記入されるように複数の走査線（Ｓ１−Ｓｎ）に選択信号を順に印加し，発光走査駆動部３００は，ＯＬＥＤ素子の発光を制御するために，発光走査線（Ｅ１−Ｅｎ）に発光信号を順に印加する。そして，データ駆動部４００は，選択信号が順に印加されるたびに，選択信号が印加された走査線の画素に対応するデータ信号をデータ線（Ｄ１−Ｄｍ）に印加する。
【００２７】
そして，選択及び発光走査駆動部２００，３００とデータ駆動部４００は，各々表示パネル１００が形成された基板に電気的に連結される。これとは異なり，走査駆動部２００，３００及び/又はデータ駆動部４００を表示パネル１００のガラス基板上に直接装着することもでき，表示パネル１００の基板に走査線，データ線，及びトランジスタと同一層で形成されている駆動回路で代替することもできる。或いは，走査駆動部２００，３００及び/又はデータ駆動部４００を，表示パネル１００の基板に接着されて電気的に連結されたＴＣＰ（tape  carrier  package），ＦＰＣ（flexible  printed  circuit），又はＴＡＢ（tape  automatic  bonding）にチップなどの形態で装着することもできる。
【実施例１】
【００２８】
本発明の第１の実施の形態によれば，一つのフィールドが２個のサブフィールドに分割されて駆動され，２個のサブフィールドでは，各々互いに異なる色のデータが記入されて発光が行われる。
【００２９】
このために，選択走査駆動部２００は，サブフィールドごとに選択信号を順に選択走査線（Ｓ１−Ｓｎ）に印加し，発光走査駆動部３００も，各色のＯＬＥＤ素子が一つのサブフィールドで発光が行われるように発光信号を発光走査線（Ｅ１−Ｅｎ）に印加する。
【００３０】
データ駆動部４００は，２個のサブフィールドで，一つの画素が互いに異なる色のＯＬＥＤ素子に対応するデータ信号をデータ線（Ｄ１−Ｄｍ）に印加する。図３において，データ駆動部４００は，２個のサブフィールドで各々赤色及び緑色のＯＬＥＤ素子（ＯＬＥＤｒ１，ＯＬＥＤｇ１）に各々対応するデータ信号をデータ線（Ｄ１）に印加し，青色及び赤色のＯＬＥＤ素子（ＯＬＥＤｂ１，ＯＬＥＤｒ２）に各々対応するデータ信号をデータ線（Ｄ２）に印加する。そして，緑色及び青色のＯＬＥＤ素子（ＯＬＥＤｇ２，ＯＬＥＤｂ２）に各々対応するデータ信号をデータ線（Ｄ３）に印加する。
【００３１】
以下では，図４を参照して，本発明の第１実施形態にかかるＯＬＥＤ表示装置の具体的な動作について詳細に説明する。
【００３２】
図４は，本発明の第１実施形態にかかるＯＬＥＤ表示装置の画素を示す回路図である。図４では，データ線（Ｄ１−Ｄ３）と選択走査線（Ｓｎ）に連結される画素を示しており，トランジスタは，全てｐチャンネルトランジスタを用いた。ここで，図４に示された３個の画素１１０ａ−１１０ｃの動作は実質的に同一であるので，画素１１０ａを中心に画素の動作を説明する。
【００３３】
また，以下では，現在選択信号を伝達しようとする選択走査線を“現在走査線”とし，現在選択信号が伝達される前に選択信号を伝達した選択走査線を“直前走査線”とする。
【００３４】
本発明の第１実施形態にかかる画素１１０ａは，駆動トランジスタ（Ｍ１１），スイッチングトランジスタ（Ｍ１２，Ｍ１３，Ｍ１４），キャパシタ（Ｃ１１，Ｃ１２），ＯＬＥＤ素子（ＯＬＥＤｒ１，ＯＬＥＤｇ１），及び，このＯＬＥＤ素子の発光を各々制御する発光トランジスタ（Ｍ１５ａ，Ｍ１５ｂ）を含む。
【００３５】
一本として図示される発光走査線（Ｅｎ）は，２本の発光信号線（Ｅｎａ，Ｅｎｂ）からなり，残りの発光走査線も各々２本の発光信号線からなる（図示せず）。このような回路構成における発光トランジスタ対（Ｍ１５ａ，Ｍ１５ｂ）と発光信号線対（Ｅｎａ，Ｅｎｂ）は，駆動トランジスタ（Ｍ１１）からの電流を２個のＯＬＥＤ素子（ＯＬＥＤｒ１，ＯＬＥＤｇ１）に選択的に伝達するためのスイッチング部を形成する。
【００３６】
トランジスタ（Ｍ１１）は，ＯＬＥＤ素子（ＯＬＥＤ）を駆動するための駆動トランジスタであって，電圧（ＶＤＤ）を供給するための電源線と，トランジスタ対（Ｍ１５ａ，Ｍ１５ｂ）のソース接続点との間に連結される。そして，トランジスタ（Ｍ１１）は，ゲートとソースの間に印加される電圧に応じて，トランジスタ対（Ｍ１５，Ｍ１５ｂ）を通じて２個のＯＬＥＤ素子（ＯＬＥＤｒ，ＯＬＥＤｇ）に流れる電流を制御する。トランジスタ（Ｍ１２）は，直前走査線（Ｓｎ−１）からの選択信号に応答してトランジスタ（Ｍ１１）をダイオード連結させる。
【００３７】
トランジスタ（Ｍ１１）のゲートには，キャパシタ（Ｃ１２）の第１電極（ノードＡ）が接続され，キャパシタ（Ｃ１２）の第２電極（ノードＢ）と電圧（ＶＤＤ）を供給する電源線との間にキャパシタ（Ｃ１１）とトランジスタ（Ｍ１３）のソース・ドレーン電流路が並列接続される。トランジスタ（Ｍ１３）は，直前走査線（Ｓｎ−１）からの選択信号に応答してキャパシタ（Ｃ１２）の第２電極（ノードＢ）に電源電圧（ＶＤＤ）を供給する。
【００３８】
トランジスタ（Ｍ１４）は，現在走査線（Ｓｎ）からの選択信号に応答して，データ線（Ｄｍ）からのデータ電圧をキャパシタ（Ｃ１１）に伝達する。
【００３９】
トランジスタ対（Ｍ１５ａ，Ｍ１５ｂ）は，トランジスタ（Ｍ１１）のドレーンと両ＯＬＥＤ素子（ＯＬＥＤｒ１，ＯＬＥＤｇ１）の各アノードとの間に各々接続され，両発光信号線（Ｅｎａ，Ｅｎｂ）から印加される発光信号に応答して，トランジスタ（Ｍ１１）の電流をＯＬＥＤ素子（ＯＬＥＤｒ１，ＯＬＥＤｇ１）に各々伝達する。
【００４０】
ＯＬＥＤ素子（ＯＬＥＤｒ１，ＯＬＥＤｇ１）は，印加される電流に対応して各々赤色または緑色の光を放出する。本発明の第１の実施の形態によれば，ＯＬＥＤ素子（ＯＬＥＤｒ１，ＯＬＥＤｇ１）のカソードには，電源電圧（ＶＤＤ）より低い電源電圧（ＶＳＳ）が印加される。この電源電圧（ＶＳＳ）としては，負の電圧又は接地電圧を用いることができる。
【００４１】
以下，本発明の第１実施形態にかかる画素１１０ａの動作を説明する。
【００４２】
まず，直前走査線（Ｓｎ−１）に低レベルの選択信号が印加されると，トランジスタ（Ｍ１２，Ｍ１３）が導通してトランジスタ（Ｍ１１）はダイオード連結状態に，キャパシタ（Ｃ１１）は短絡状態になる。したがって，トランジスタ（Ｍ１１）のゲート・ソース間電圧がトランジスタ（Ｍ１１）のしきい電圧（ＶＴＨ）となるまでキャパシタ（Ｃ１２）が充放電される。トランジスタ（Ｍ１１）のソースには電圧（ＶＤＤ）が常に印加されているので，トランジスタ（Ｍ１１）のゲート（即ち，キャパシタ（Ｃ１２）の第１電極（ノードＡ））に印加される電圧は，（ＶＤＤ＋ＶＴＨ）になる。また，トランジスタ（Ｍ１３）が導通して，キャパシタ（Ｃ１２）の第２電極（Ｂ）には電圧（ＶＤＤ）が印加される。
【００４３】
したがって，キャパシタ（Ｃ１２）に充電される電圧は，以下の数式２の通りである。
【００４４】
【数２】
2006018223.tif 000004
但し，ＶＣ１２はキャパシタ（Ｃ１２）に充電される電圧を意味し，ＶＣ１２Ａはキャパシタ（Ｃ１２）の第１電極（Ａ）に印加される電圧，ＶＣ１２Ｂはキャパシタ（Ｃ１２）の第２電極（Ｂ）に印加される電圧を意味する。
【００４５】
また，発光信号線（Ｅｎａ，Ｅｎｂ）には高レベルの発光信号を印加して，トランジスタ（Ｍ１５ａ，Ｍ１５ｂ）を遮断し，トランジスタ（Ｍ１１）を通じてＯＬＥＤ素子（ＯＬＥＤｒ，ＯＬＥＤｇ）に電流が流れることのないようにする。さらに，現在走査線（Ｓｎ）にも高レベルの信号を印加し，トランジスタ（Ｍ１４）を遮断しておく。
【００４６】
その後，現在走査線（Ｓｎ）に低レベルの選択信号が印加されると，トランジスタ（Ｍ１４）が導通するとともに，直前走査線（Ｓｎ−１）が高レベルになってトランジスタ（Ｍ１２，Ｍ１３）が遮断され，データ電圧（ＶＤＡＴＡ）がキャパシタ（Ｃ１１）に充電される。また，キャパシタ（Ｃ１２）にはトランジスタ（Ｍ１１）のしきい電圧（ＶＴＨ）に該当する電圧が充電されているので，トランジスタ（Ｍ１１）のゲートには，データ電圧（ＶＤＡＴＡ）とトランジスタ（Ｍ１１）のしきい電圧（ＶＴＨ）の合計に対応する電圧が印加される。
【００４７】
即ち，トランジスタ（Ｍ１１）のゲート及びソース間電圧（ＶＧＳ）は，以下の数式３の通りである。
【００４８】
【数３】
2006018223.tif 000005
【００４９】
発光トランジスタ（Ｍ１５ａ，Ｍ１５ｂ）が各々発光信号線（Ｅｎａ，Ｅｎｂ）からの低レベル発光信号に応答して導通すれば，以下の数式４の通りの電流が赤色及び緑色のＯＬＥＤ素子（ＯＬＥＤｒ１，ＯＬＥＤｇ１）に伝達され，発光が行われる。
【００５０】
【数４】
2006018223.tif 000006
但し，ＩＯＬＥＤは，ＯＬＥＤ素子（ＯＬＥＤｒ１，ＯＬＥＤｇ１）に流れる電流，ＶＧＳはトランジスタ（Ｍ１１）のソース及びゲート間電圧，ＶＴＨはトランジスタ（Ｍ１１）のしきい電圧，ＶＤＡＴＡはデータ電圧，βは定数値を示す。
【００５１】
さらに，一つのフィールドを前半，後半に折半した２個のサブフィールドの各々で，低レベル選択信号が各選択走査線（Ｓ１−Ｓｎ）に順に印加されて一巡する。また，２本の発光信号線（Ｅ１ａ−Ｅｎａ，Ｅ１ｂ−Ｅｎｂ）に各々印加される２個の発光信号は，１フィールド長さの間に重複することのないない低レベル（発光）期間を有するように，例えば，両信号が論理的に反転しているようにする。但し，高レベル（非発光）の重複は差し支えない。
【００５２】
画素１１０ｂ，１１０ｃも画素１１０ａと同様に，直前走査線（Ｓｎ−１）に低レベル選択信号が印加される間，駆動トランジスタ（Ｍ２１，Ｍ３１）のしきい電圧をキャパシタ（Ｃ２２，Ｃ３２）に保存し，現在走査線（Ｓｎ）に低レベル選択信号が印加される間，データ電圧（ＶＤＡＴＡ）をキャパシタ（Ｃ２１，Ｃ３１）に保存する。そして，発光トランジスタ（Ｍ２５ａ，Ｍ３５ａ）が各々発光信号線（Ｅｎａ）からの低レベル発光信号に応答して導通すれば，キャパシタ（Ｃ２１，Ｃ３１）に保存された電圧に各々対応する電流が青色または緑色のＯＬＥＤ素子（ＯＬＥＤｂ１，ＯＬＥＤｇ２）に伝達されて発光が行われ，発光トランジスタ（Ｍ２５ｂ，Ｍ３５ｂ）が各々発光信号線（Ｅｎｂ）からの発光信号に応答して導通すれば，キャパシタ（Ｃ２１，Ｃ３１）に保存された電圧に対応する電流が赤色及び青色のＯＬＥＤ素子（ＯＬＥＤｒ２，ＯＬＥＤｂ２）に伝達されて発光が行われる。
【００５３】
このように，本発明の第１の実施の形態によれば，一つの画素で多様な色の発光素子を共通の駆動及びスイッチングトランジスタとキャパシタとで駆動することができるので，画素内で用いられる素子の構成と，電流，電圧又は信号を伝達する配線とを単純化させることができる。
【００５４】
（第２の実施の形態）
次に，図５〜図７に基づいて，第２実施形態にかかるＯＬＥＤ表示装置の画素について説明する。
【００５５】
まず，上記第１実施形態にかかる画素を実際に駆動する場合には，キャパシタ（Ｃ１２，Ｃ２２，Ｃ３２）に保存される電圧は，数式２とは異なり，駆動トランジスタ（Ｍ１１，Ｍ２１，Ｍ３１）のドレーン電極（即ち，ノード（Ｃ））の電圧状態によって異なるようになる。即ち，駆動トランジスタ（Ｍ１１，Ｍ２１，Ｍ３１）を通じて電流が流れると，ドレーン電極，即ちノード（Ｃ）の寄生キャパシタンスによって一定の電圧が充電され，ノード（Ｃ）の電圧状態が，直前サブフィールドで駆動トランジスタ（Ｍ１１，Ｍ２１，Ｍ３１）に流した電流レベルに影響を受ける。したがって，直前走査線（Ｓｎ−１）に低レベルの選択信号が印加されると，キャパシタ（Ｃ１２，Ｃ２２，Ｃ３３）の第１電極（ノードＡ）の電圧（ＶＣ１２，ＶＣ２２，ＶＣ３２）がノード（Ｃ）の電圧と同一になるので，ノード（Ｃ）の電圧状態に応じてキャパシタ（Ｃ１２，Ｃ２２，Ｃ３３）に保存される電圧が変わる。
【００５６】
しかし，本発明の第１実施形態にかかる画素１１０ａ−１１０ｃは，２個のサブフィールドで互いに異なる色に対応する電流が駆動トランジスタ（Ｍ１１−Ｍ３１）を通じて流れるようになるため，結局，一つのサブフィールドで直前走査線（Ｓｎ−１）に選択信号が印加される間，キャパシタ（Ｃ１２−Ｃ３２）に保存される補償電圧は，直前サブフィールドで駆動トランジスタ（Ｍ１１−Ｍ３１）が流した電流に影響を受けるようになる。
【００５７】
したがって，キャパシタ（Ｃ１２−Ｃ３２）には，直前サブフィールドのデータ電圧に応じた補償電圧が充電され，直前サブフィールドと現在サブフィールドで互いに異なる色に対応するデータ電圧が印加されるため，駆動トランジスタ（Ｍ１１−Ｍ３１）のしきい電圧の偏差がうまく補償されないという問題があった。
【００５８】
また，上記第１実施形態にかかる画素は，駆動トランジスタが互いに異なる色のＯＬＥＤ素子を駆動するため，駆動トランジスタの特性を調節することによって赤色，緑色，及び青色画像のホワイトバランスを制御するのは困難である，という問題があった。
【００５９】
したがって，本発明の第２実施形態にかかるＯＬＥＤ表示装置では，一つの画素に形成された駆動部が同一色のＯＬＥＤ素子を駆動するようにすることで，上記問題を解決することができる。
【００６０】
図５は，本発明の第２実施形態にかかるＯＬＥＤ表示装置の画素の概略的な概念図である。図５では説明の便宜上，データ線（Ｄ１−Ｄ３）と選択走査線（Ｓｎ）に連結される３個の画素１１０ａ−１１０ｃを代表的に示した。
【００６１】
本発明の第２の実施の形態によれば，各画素１１０ａ−１１０ｃは，駆動部及び異なる発光色を有する２個のＯＬＥＤ素子を含み，データ線（Ｄ１−Ｄ３）には各々赤色，緑色，及び青色に対応するデータ信号が印加される。
【００６２】
画素１１０ａの駆動部１１１は，データ線（Ｄ１）に連結され，データ線（Ｄ１）からのデータ電圧に対応する電流を赤色のＯＬＥＤ素子（ＯＬＥＤｒ１，ＯＬＥＤｒ２）に印加する。画素１１０ｂの駆動部１１２は，データ線（Ｄ２）に連結され，データ線（Ｄ２）からのデータ電圧に対応する電流を緑色のＯＬＥＤ素子（ＯＬＥＤｇ１，ＯＬＥＤｇ２）に印加する。そして，画素１１０ｃの駆動部１１３はデータ線（Ｄ３）に連結され，データ線（Ｄ３）からのデータ電圧に対応する電流を青色のＯＬＥＤ素子（ＯＬＥＤｂ１，ＯＬＥＤｂ２）に印加する。
【００６３】
以下，本発明の第２実施形態にかかる画素について，図６に基づいて，より具体的に説明する。ただし，本発明の第１の実施の形態と関連して重複する部分に対する説明は省略する。
【００６４】
図６に示すように，画素１１０ａの駆動部は，駆動トランジスタ（Ｍ１１），スイッチングトランジスタ（Ｍ１２，Ｍ１３，Ｍ１４），キャパシタ（Ｃ１１，Ｃ１２），及び発光トランジスタ（Ｍ１５ａ，Ｍ１５ｂ）を含む。画素１１０ｂの駆動部は，駆動トランジスタ（Ｍ２１），スイッチングトランジスタ（Ｍ２２，Ｍ２３，Ｍ２４），キャパシタ（Ｃ２１，Ｃ２２），及び発光トランジスタ（Ｍ２５ａ，Ｍ２５ｂ）を含み，画素１１０ｃの駆動部は，駆動トランジスタ（Ｍ３１），スイッチングトランジスタ（Ｍ３２，Ｍ３３，Ｍ３４），キャパシタ（Ｃ３１，Ｃ３２），及び発光トランジスタ（Ｍ３５ａ，Ｍ３５ｂ）を含む。トランジスタは，全て，ｐチャンネルトランジスタを用いた。
【００６５】
本発明の第２の実施の形態によれば，画素１１０ａの駆動トランジスタ（Ｍ１１）のドレーンは発光トランジスタ（Ｍ１５ａ，Ｍ２５ｂ）のソースに連結され，発光トランジスタ（Ｍ１５ａ，Ｍ２５ｂ）は，発光信号線（Ｅｎａ，Ｅｎｂ）の低レベル発光信号に各々応答して，駆動トランジスタ（Ｍ１１）からの電流をＯＬＥＤ素子（ＯＬＥＤｒ１，ＯＬＥＤｒ２）に伝達する。
【００６６】
駆動トランジスタ（Ｍ２１）のドレーンは，発光トランジスタ（Ｍ３５ａ，Ｍ１５ｂ）のソースに連結され，発光トランジスタ（Ｍ３５ａ，Ｍ１５ｂ）は発光信号線（Ｅｎａ，Ｅｎｂ）の低レベル発光信号に応答して，駆動トランジスタ（Ｍ２１）からの電流をＯＬＥＤ素子（ＯＬＥＤｇ２，ＯＬＥＤｇ１）に伝達する。
【００６７】
同様に，駆動トランジスタ（Ｍ３１）のドレーンは，発光トランジスタ（Ｍ２５ａ，Ｍ３５ｂ）のソースに連結され，発光トランジスタ（Ｍ２５ａ，Ｍ３５ｂ）は発光信号線（Ｅｎａ，Ｅｎｂ）の低レベル発光信号に応答して，駆動トランジスタ（Ｍ３１）からの電流をＯＬＥＤ素子（ＯＬＥＤｂ１，ＯＬＥＤｂ２）に伝達する。
【００６８】
これで，一つのフィールドの間，一つのデータ線には同一色に対応するデータ電圧が印加され，駆動トランジスタは，データ電圧に対応する電流を同一色のＯＬＥＤ素子に伝達する。
【００６９】
以下，図７を参照して，本発明の第２実施形態にかかるＯＬＥＤ表示装置の駆動方法について詳細に説明する。
【００７０】
図７は，本発明の第２実施形態にかかるＯＬＥＤ表示装置の駆動タイミングを示したものである。
【００７１】
本発明の第２実施形態にかかるＯＬＥＤ表示装置は，一つのフィールド（１ＴＶ）が２個のサブフィールド（１ＳＦ，２ＳＦ）に分割して駆動され，各サブフィールド（１ＳＦ，２ＳＦ）で，選択走査線（Ｓ１−Ｓｎ）に低レベルの選択信号が順に印加される。一つの画素に含まれる２個のＯＬＥＤ素子は，各々一つのサブフィールドに該当する長さを有する期間発光する。そして，サブフィールド（１ＳＦ，２ＳＦ）は行別に独立的に定義される。なお，図７においては，一番目の行の選択走査線（Ｓ１）を基準に１フィールドを折半した二つのサブフィールド（１ＳＦ，２ＳＦ）を示している。
【００７２】
サブフィールド（１ＳＦ）において，直前走査線（Ｓｎ−１）に低レベルの選択信号が印加される間，キャパシタ（Ｃ１２，Ｃ２２，Ｃ３２）には駆動トランジスタ（Ｍ１１，Ｍ２１，Ｍ３１）の各しきい電圧（ＶＴＨｋ,ｋ＝１,２,３）に対応する電圧が保存される。その後，現在走査線（Ｓｎ）に低レベルの選択信号が印加されると，データ線（Ｄ１，Ｄ２，Ｄ３）には各々赤色，緑色，及び青色に対応するデータ電圧が印加され，トランジスタ（Ｍ１４，Ｍ２４，Ｍ３４）を通じてデータ電圧がキャパシタ（Ｃ１１，Ｃ２１，Ｃ３１）に充電される。そして，発光トランジスタ（Ｍ１５ａ，Ｍ２５ａ，Ｍ３５ａ）が導通して，キャパシタ（Ｃ１１−Ｃ３１）に保存された電圧に対応する電流がトランジスタ（Ｍ１１−Ｍ３１）から各々ＯＬＥＤ素子（ＯＬＥＤｒ１，ＯＬＥＤｂ１，ＯＬＥＤｇ２）に伝達され，発光が行われる。
【００７３】
このような方法で，サブフィールド（１ＳＦ）において，一番目〜ｎ番目の行の画素にデータ電圧を印加して，一つの画素に含まれた２個のＯＬＥＤ素子のうちの左側のＯＬＥＤ素子を発光させる。
【００７４】
次に，サブフィールド（２ＳＦ）では，サブフィールド（１ＳＦ）と同様に，一番目の行からｎ番目の行の選択走査線（Ｓ１−Ｓｎ）に低レベルの選択信号が順に印加される。そして，現在走査線（Ｓｎ）に連結された画素１１０ａ−１１０ｃは，直前走査線（Ｓｎ−１）に低レベル選択信号が印加される間，キャパシタ（Ｃ１２−Ｃ３２）に駆動トランジスタ（Ｍ１１−Ｍ３１）の各しきい電圧を保存し，現在走査線（Ｓｎ）に低レベル選択信号が印加される間，データ線（Ｄ１−Ｄ３）には赤色，緑色，及び青色に対応するデータ電圧が印加されてキャパシタ（Ｃ１１−Ｃ３１）に保存される。そして，選択走査線（Ｓ１−Ｓｎ）に低レベルの選択信号が順に印加されるのに同期して，発光信号線（Ｅ１ｂ−Ｅｎｂ）に低レベルの発光信号が順に印加される。そうすると，印加されたデータ電圧に対応する電流が発光トランジスタ（Ｍ１５ｂ，Ｍ２５ｂ，Ｍ３５ｂ）を通じてＯＬＥＤ素子（ＯＬＥＤｇ１，ＯＬＥＤｒ２，ＯＬＥＤｂ２）に伝達され，発光が行われる。
【００７５】
本実施形態においては，サブフィールド（１ＳＦ，２ＳＦ）で発光信号線（Ｅ１ａ−Ｅｎａ，Ｅ１ｂ−Ｅｎｂ）に印加される発光信号は一定の期間は低レベルに維持され，発光信号が低レベルである間，当該発光信号が印加された発光トランジスタに連結されるＯＬＥＤ素子は継続して発光する。なお，図７において，この期間を当該サブフィールド（１ＳＦ，２ＳＦ）と実質的に同一期間として示している。即ち，各画素で左側に連結されたＯＬＥＤ素子は，サブフィールド（１ＳＦ）に対応する期間に印加されるデータ電圧に対応する輝度に発光し，右側に連結されたＯＬＥＤ素子は，サブフィールド（２ＳＦ）に対応する期間に印加されるデータ電圧に対応する輝度に発光する。
【００７６】
そして，一つのフィールド（１ＴＶ）の間，各データ線（Ｄ１−Ｄｍ）には同一色に対応するデータ電圧が印加され，一つの画素に含まれる駆動トランジスタは，データ電圧に対応する電流を同一色のＯＬＥＤ素子に伝達する。したがって，２個のサブフィールドの間，同一色に対応する電流が駆動トランジスタを通じてＯＬＥＤ素子に伝達されるので，駆動トランジスタのドレーン電極，即ち，ノード（Ｃ）の寄生容量には，現在サブフィールドと同一色の電流に対応する電圧が充電される。
【００７７】
即ち，画素１１０ａで，直前走査線（Ｓｎ−１）に低レベル選択信号が印加されてキャパシタ（Ｃ１２）にトランジスタ（Ｍ１１）のしきい電圧に対応する電圧を保存する場合，キャパシタ（Ｃ１２）に保存される電圧はノード（Ｃ）の電圧から影響を受けるようになるが，ノード（Ｃ）の電圧は，前述のように，直前のサブフィールドでトランジスタ（Ｍ１１）を通じて流れた電流に影響を受ける。さらに，本発明の第２の実施の形態での駆動トランジスタ（Ｍ１１）は，直前サブフィールドと現在サブフィールドで全て赤色に対応する電流を出力するので，現在サブフィールドと同一条件下でトランジスタ（Ｍ１１）のしきい電圧の偏差を補償するための電圧がキャパシタ（Ｃ１２）に保存される。したがって，駆動トランジスタ（Ｍ１１）のドレーン電極に寄生キャパシタンス成分が存在して，キャパシタ（Ｃ１２）に駆動トランジスタ（Ｍ１１）のしきい電圧とは異なる電圧が充電されるとしても，現在サブフィールドと直前サブフィールドの全てにおいて，同一条件下でキャパシタ（Ｃ１２）にしきい電圧に対応する電圧が充電されるので，駆動トランジスタ（Ｍ１１）のしきい電圧の偏差を効果的に補償することができる。
【００７８】
一つの画素に含まれた駆動トランジスタは，一つのフィールドの間各々同一色のＯＬＥＤ素子に流れる電流を制御するので，駆動トランジスタのチャンネルの幅と長さの比（Ｗ/Ｌ）を制御することによって，表示パネルのホワイトバランスを調節することができる。即ち，図６において，トランジスタ（Ｍ１１−Ｍ１３）のチャンネルの幅と長さの比（Ｗ/Ｌ）を各々適切に設定して，実質的に同一レベルのデータ電圧に応じて互いに異なる量の電流が各々赤色，緑色，及び青色のＯＬＥＤ素子に流れるようにすることができる。
【００７９】
図６では，本発明の第２実施形態にかかる画素の駆動部として，１個の駆動トランジスタ，３個のスイッチングトランジスタ，２個のキャパシタ，及び２個の発光トランジスタを備える回路図を示したが，図６に示した画素回路以外に様々な形態の画素回路を利用し，本発明の第２実施形態にかかるＯＬＥＤ表示装置を構成することができる。
【００８０】
図８は，本発明の第２実施形態にかかるＯＬＥＤ表示装置の他の画素回路の一例を示す説明図である。以下では，図８に示した画素について説明する。ただし，図８に示した画素１１０ａ−１１０ｃのうち，画素１１０ａに含まれた駆動部を中心に説明し，既に説明した部分と重複する部分については説明を省略する。
【００８１】
図８に示すように，画素１１０ａは，駆動トランジスタ（Ｍ１１），スイッチングトランジスタ（Ｍ１２），キャパシタ（Ｃ１１），及び２個のＯＬＥＤ素子（ＯＬＥＤｒ１，ＯＬＥＤｇ１）の発光を各々制御する発光トランジスタ（Ｍ１３ａ，Ｍ１３ｂ）を含む。
【００８２】
スイッチングトランジスタ（Ｍ１２）は，走査線（Ｓｎ）からの低レベル選択信号に応答してデータ線（Ｄ１）からのデータ電圧をキャパシタ（Ｃ１１）に伝達する。そして，駆動トランジスタ（Ｍ１１）は電源電圧（ＶＤＤ）と発光トランジスタ（Ｍ１３ａ，Ｍ２３ｂ）のソース接続点との間に連結されており，キャパシタ（Ｃ１１）に保存された電圧に対応する電流を出力する。
【００８３】
即ち，発光トランジスタ（Ｍ１３ａ）が発光信号線（Ｅｎａ）からの低レベル発光信号に応答して導通すれば，キャパシタ（Ｃ１１）に保存された電圧に対応する電流が駆動トランジスタ（Ｍ１１）を通ってＯＬＥＤ素子（ＯＬＥＤｒ１）に伝達され，発光トランジスタ（Ｍ２３ｂ）が発光信号線（Ｅｎｂ）からの低レベル発光信号に応答して導通すれば，キャパシタ（Ｃ１１）に保存された電圧に対応する電流がＯＬＥＤ素子（ＯＬＥＤｒ２）に流れるようになる。
【００８４】
このように，本発明の第２実施形態にかかるＯＬＥＤ表示装置の他の画素でも，駆動トランジスタは同一色を発光するＯＬＥＤ素子を駆動するようになり，駆動トランジスタのチャンネルの幅と長さを制御することによってホワイトバランスを調節することができる。
【００８５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８６】
例えば，図７のおいて，ＯＬＥＤ表示装置が単一走査から順次走査方式で駆動されることを示しているが，本発明はかかる例に限定されない。例えば，二重走査方式，飛越走査方式又は他の方式にも適用することができる。
【００８７】
また，図６及び図８においては，一つの画素が２個のＯＬＥＤ素子を含むことを例に説明したが，かかる例には限定されない。例えば，一つの画素が赤色，緑色，及び青色を発光するＯＬＥＤ素子を含むようにした後，一つのフィールドを３個のサブフィールドに分けて画素回路を駆動することもできる。
【図面の簡単な説明】
【００８８】
【図１】従来の画素を示す回路図である。
【図２】本発明の第１実施形態にかかるＯＬＥＤ表示装置の概略的な平面図である。
【図３】本発明の第１実施形態にかかるＯＬＥＤ表示装置の画素の概略的な概念図である。
【図４】本発明の第１実施形態にかかるＯＬＥＤ表示装置の画素を示す回路図である。
【図５】本発明の第２実施形態にかかるＯＬＥＤ表示装置の画素の概略的な概念図である。
【図６】本発明の第２実施形態にかかるＯＬＥＤ表示装置の画素を示す回路図である。
【図７】本発明の第２実施形態にかかるＯＬＥＤ表示装置の駆動タイミング図である。
【図８】本発明の第２実施形態にかかるＯＬＥＤ表示装置の他の画素を示す回路図である。
【符号の説明】
【００８９】
１００  表示パネル
１１０，１１０ａ，１１０ｂ，１１０ｃ  画素
２００  選択走査駆動部
３００  発光走査駆動部
４００  データ駆動部
【図１】
2006018223.tif 000007
【図２】
2006018223.tif 000008
【図３】
2006018223.tif 000009
【図４】
2006018223.tif 000010
【図５】
2006018223.tif 000011
【図６】
2006018223.tif 000012
【図７】
2006018223.tif 000013
【図８】
2006018223.tif 000014